(57)【特許請求の範囲】
【請求項１】
壁部に、配線・配管材が挿通される貫通孔が設けられ、その貫通孔は、互いに通ずるように隣接する第１貫通孔と第２貫通孔とを備え、
前記第２貫通孔は、除去可能なノックで塞がれており、
前記ノックと、隣接する前記壁部との間には、脆弱部が介在し、
前記ノックから、隣接する前記壁部に渡って、第１リブが設けられ、その第１リブは、前記第１貫通孔の周縁に沿うようにして、前記ノックから、そのノックとともに除去可能に立設し、隣接する前記壁部に及ぶように延びる、貫通孔形成用壁構造。
【請求項２】
前記脆弱部に接する前記壁部には、前記脆弱部に沿って延びて前記第１リブに繋がる第２リブが立設している、請求項１に記載の貫通孔形成用壁構造。
【請求項３】
前記貫通孔を囲む前記壁部には、前記貫通孔の周縁に沿うようにしてその貫通孔を囲む貫通孔囲みリブが立設し、その貫通孔囲みリブの一部が、前記第１リブの一部と前記第２リブを構成する、請求項２に記載の貫通孔形成用壁構造。
【請求項４】
前記第１貫通孔は、除去可能な他のノックで塞がれている、請求項１ないし３のいずれか１項に記載の貫通孔形成用壁構造。
【請求項５】
前記第２貫通孔を両側から挟むように、前記第１貫通孔が設けられる、請求項１ないし４のいずれか１項に記載の貫通孔形成用壁構造。
【請求項６】
請求項１ないし５のいずれか１項に記載の貫通孔形成用壁構造を備えた、配電函であって、
開口を有する函本体と、前記開口を開閉する蓋とを備え、
前記函本体は、底壁と、その底壁から立設して前記貫通孔形成用壁構造を有する周壁とを備えて、前記底壁とは反対側が前記開口となるように形成され、
前記貫通孔形成用壁構造における貫通孔に配線・配管材として配線材が挿通される、貫通孔形成用壁構造を備えた配電函。
【請求項７】
前記貫通孔形成用壁構造における前記第１貫通孔と前記第２貫通孔とは、前記周壁の先端側に開放する位置に設けられ、かつ、前記蓋を閉じた状態において、その蓋よりも前記周壁の基端側に、前記配線材が引き出し可能となる貫通部を有するように設けられる、請求項６に記載の貫通孔形成用壁構造を備えた配電函。
【発明の詳細な説明】
【技術分野】
【０００１】
この発明は、除去することにより配線・配管材が挿通される貫通孔が形成されるノックを備えた、貫通孔形成用壁構造およびその貫通孔形成用壁構造を備えた配電函に関するものである。
【背景技術】
【０００２】
従来、例えば配電函において、ケーブル（配線材）を挿通するにあたって、配電函の壁に不必要に大きな貫通孔を形成することは、雨水や粉塵等の侵入を防止するには不利であった。そこで、貫通孔は、除去可能なノックで塞がれて、必要に応じてノックを除去することで、必要な大きさの貫通孔を形成できるものがあった（例えば、特許文献１参照）。図１４に示すように、この配電函２１は、大きな貫通孔を複数のノック２２、２２により塞いでおり、除去するノック２２の数によって、必要な大きさの貫通孔を形成できるものであった。
【先行技術文献】
【特許文献】
【０００３】
【特許文献１】特開２０１１−１０３７１１号公報
【発明の概要】
【発明が解決しようとする課題】
【０００４】
ところで、前記従来の配電函２１にあっては、複数のノック２２、２２の内の一部のノック２２を除去して使用した場合には、ケーブルの挿通作業等により、残されたノック２２に負荷がかかり、それによって、ノック２２が外れて、不必要に大きな貫通孔が形成されてしまう虞があった。
【０００５】
この発明は、上記した従来の欠点を解決するためになされたものであり、その目的とするところは、配線・配管材が挿通される貫通孔に隣接するノックが、安易に外れたり取れたりすることのない、貫通孔形成用壁構造およびその貫通孔形成用壁構造を備えた配電函を提供することにある。
【課題を解決するための手段】
【０００６】
この発明に係る貫通孔形成用壁構造およびその貫通孔形成用壁構造を備えた配電函は、前記目的を達成するために、次の構成からなる。すなわち、
請求項１に記載の発明に係る貫通孔形成用壁構造は、壁部に、配線・配管材が挿通される貫通孔が設けられ、その貫通孔は、互いに通ずるように隣接する第１貫通孔と第２貫通孔とを備える。ここで、前記第２貫通孔は、除去可能なノックで塞がれている。そして、前記ノックと、隣接する前記壁部との間には、脆弱部が介在する。さらに、前記ノックから、隣接する前記壁部に渡って、第１リブが設けられ、その第１リブは、前記第１貫通孔の周縁に沿うようにして、前記ノックから、そのノックとともに除去可能に立設し、隣接する前記壁部に及ぶように延びる。
【０００７】
この貫通孔形成用壁構造によると、互いに通ずるように隣接する第１貫通孔と第２貫通孔において、第２貫通孔は、除去可能なノックで塞がれている。そして、ノックから、隣接する壁部に渡って、第１リブが設けられており、この第１リブによりノックの強度を高めることができる。したがって、第１貫通孔に配線・配管材を挿通した際に、その配線・配管材がノックに当たっても、ノックは、安易に外れたり取れたりすることはない。そして、前もってあいた第１貫通孔に対し、このノック（詳しくは、このノックと、このノックから立設する第１リブ）を除去することで、互いに通ずる第１貫通孔と第２貫通孔とからなる大きな貫通孔を形成することができる。この際、ノックと壁部との間に脆弱部が介在することから、第１リブにおけるノック側と壁部側との境界部分にニッパー等の切断工具により切れ目を入れることで、簡単にノックを除去することができる。また、この貫通孔形成用壁構造により、配線・配管材の配線・配管量に応じて、第１貫通孔の使用に加えて、第２貫通孔の使用の有無（つまり、ノックを除去するかどうか）を選択することができ、その配線・配管量に柔軟に対応することができる。
【０００８】
また、請求項２に記載の発明に係る貫通孔形成用壁構造のように、請求項１に記載の貫通孔形成用壁構造において、前記脆弱部に接する前記壁部には、前記脆弱部に沿って延びて前記第１リブに繋がる第２リブが立設していてもよい。こうして、第１リブに繋がる第２リブを設けることで、ノックの強度を一層高めることができる。
【０００９】
また、請求項３に記載の発明に係る貫通孔形成用壁構造のように、請求項２に記載の貫通孔形成用壁構造において、前記貫通孔を囲む前記壁部には、前記貫通孔の周縁に沿うようにしてその貫通孔を囲む貫通孔囲みリブが立設し、その貫通孔囲みリブの一部が、前記第１リブの一部と前記第２リブを構成してもよい。こうして、貫通孔囲みリブを設けることで、壁部の強度を保つことができ、また、配線・配管材を、第１貫通孔や第２管通孔に挿通した際に、壁部に対する配線・配管材の当たりを、貫通孔囲みリブで和らげることができる。
【００１０】
また、請求項４に記載の発明に係る貫通孔形成用壁構造のように、請求項１ないし３のいずれか１項に記載の貫通孔形成用壁構造において、前記第１貫通孔は、除去可能な他のノックで塞がれていてもよい。
【００１１】
また、請求項５に記載の発明に係る貫通孔形成用壁構造のように、請求項１ないし４のいずれか１項に記載の貫通孔形成用壁構造において、前記第２貫通孔を両側から挟むように、前記第１貫通孔が設けられてもよい。これにより、第２貫通孔を塞ぐノック（詳しくは、ノックと、このノックから立設する第１リブ）を除去することで、両側の第１貫通孔を連通させることができる。
【００１２】
また、請求項６に記載の発明に係る貫通孔形成用壁構造を備えた配電函は、請求項１ないし５のいずれか１項に記載の貫通孔形成用壁構造を備えた、配電函である。この配電函は、開口を有する函本体と、前記開口を開閉する蓋とを備える。ここで、前記函本体は、底壁と、その底壁から立設して前記貫通孔形成用壁構造を有する周壁とを備えて、前記底壁とは反対側が前記開口となるように形成される。そして、前記貫通孔形成用壁構造における貫通孔に配線・配管材として配線材が挿通される。
【００１３】
また、請求項７に記載の発明に係る貫通孔形成用壁構造を備えた配電函のように、請求項６に記載の配電函において、前記貫通孔形成用壁構造における前記第１貫通孔と前記第２貫通孔とは、前記周壁の先端側に開放する位置に設けられ、かつ、前記蓋を閉じた状態において、その蓋よりも前記周壁の基端側に、前記配線材が引き出し可能となる貫通部を有するように設けられるのが望ましい。
【発明の効果】
【００１４】
この発明に係る貫通孔形成用壁構造およびその貫通孔形成用壁構造を備えた配電函によれば、第１リブによって、ノックの強度を高めることができ、このため、配線・配管材（配電函にあっては、配線材）が挿通される第１貫通孔に隣接する前記ノックが、安易に外れたり取れたりすることがない。そして、前もってあいた第１貫通孔に対し、ノック（詳しくは、ノックと、このノックから立設する第１リブ）を除去することで、互いに通ずる第１貫通孔と第２貫通孔とからなる大きな貫通孔を形成することができる。
【図面の簡単な説明】
【００１５】
【図１】この発明の一実施の形態の、配電函の斜視図である。
【図２】同じく、函本体の斜視図である。
【図３】同じく、下部周壁（壁部）の要部拡大底面図である。
【図４】同じく、図３におけるＡ−Ａ線による断面図である。
【図５】同じく、図３におけるＢ−Ｂ線による断面図である。
【図６】同じく、他のノックを除去した状態の、下部周壁（壁部）の要部拡大底面図である。
【図７】同じく、他のノックに加えてノックを除去した状態の、下部周壁（壁部）の要部拡大底面図である。
【図８】この発明の、第１の変形例を示す要部拡大図である。
【図９】この発明の、第２の変形例を示す要部拡大図である。
【図１０】この発明の、第３の変形例を示す要部拡大図である。
【図１１】この発明の、第４の変形例を示す要部拡大図である。
【図１２】この発明の、第５の変形例を示す要部拡大図である。
【図１３】この発明の、第６の変形例を示す要部拡大図である。
【図１４】従来の配電函を示す底面図である。
【発明を実施するための形態】
【００１６】
以下、この発明に係る貫通孔形成用壁構造およびその貫通孔形成用壁構造を備えた配電函を実施するための形態を図面に基づいて説明する。
【００１７】
図１〜図７は、本発明の一実施の形態を示す。図中符号１は、貫通孔形成用壁構造を示す。２は、前記貫通孔形成用壁構造１を備えた配電函を示す。この配電函２は、主に屋外に仮設あるいは常設されて、ブレーカーとかコンセントとかの配線器具や、ブースター等、その他の機器を収容する函である。
【００１８】
貫通孔形成用壁構造１は、壁部３に、配線・配管材（配線材または配管材）が挿通される貫通孔４が設けられ、その貫通孔４は、互いに通ずるように隣接する第１貫通孔４ａと第２貫通孔４ｂとを備える。第２貫通孔４ｂは、除去可能なノック５ｂで塞がれており、そのノック５ｂと、隣接する壁部３との間には、薄肉部またはスリットあるいは切れ目など（図示実施の形態においては、薄肉部）を有する、破断容易な脆弱部６が介在する。そして、ノック５ｂから、隣接する壁部３に渡って、第１リブ７が設けられ、その第１リブ７は、第１貫通孔４ａの周縁に沿うようにして、ノック５ｂから、そのノック５ｂとともに除去可能に立設し、隣接する壁部３に及ぶように延びる。ここにおいて、ノック５ｂは、第１リブ７に沿って薄肉部またはスリットあるいは切れ目などの脆弱部が介在することなく、そのまま第１リブ７に繋がっている。
【００１９】
また、前記脆弱部６に接する壁部３には、脆弱部６に沿って延びて前記第１リブ７に繋がる第２リブ８が立設している。さらに、前記貫通孔４を囲む壁部３には、貫通孔４の周縁に沿うようにしてその貫通孔４を囲む貫通孔囲みリブ９が立設し、その貫通孔囲みリブ９の一部が、前記第１リブ７の一部と前記第２リブ８を構成するようになっている。
【００２０】
また、図示実施の形態においては、第１貫通孔４ａは、除去可能な他のノック５ａで塞がれている。そして、第２貫通孔４ｂ（ノック５ｂ）を両側から挟むように、第１貫通孔４ａ、４ａ（他のノック５ａ、５ａ）が設けられる。
【００２１】
配電函２においては、この配電函２は、開口２ａを有する函本体２ｂと、開口２ａを開閉する蓋２ｃとを備える。函本体２ｂは、底壁２ｄと、その底壁２ｄから立設して前記貫通孔形成用壁構造１を有する周壁２ｅとを備えて、内部に機器を収容する空間を有し、底壁２ｄとは反対側が前記開口２ａとなるように形成されている。そして、貫通孔形成用壁構造１における貫通孔４に、配線・配管材として配線材が挿通される。また、蓋２ｃは、函本体２ｂにおける周壁２ｅの先端よりも底壁２ｄとは反対側に位置する天壁２ｆと、その天壁２ｆから周壁２ｅの先端を越えて底壁２ｄ側、つまり周壁２ｅの基端側へと延びる延設壁２ｇとを備える。そして、蓋２ｃは、函本体２ｂにおける開口２ａを自在に開閉するように、函本体２ｂに一側で回動可能に連結される。
【００２２】
そして、貫通孔形成用壁構造１における第１貫通孔４ａと第２貫通孔４ｂとは、周壁２ｅ（壁部３）の先端側（端側）に開放する位置に設けられ、かつ、蓋２ｃを閉じた状態において、その蓋２ｃ（詳しくは、延設壁２ｇ）よりも周壁２ｅの基端側（つまり、底壁２ｄ側）に、配線材が引き出し可能となる貫通部４ｃを有するように設けられている（図７において、蓋２ｃの先端を二点鎖線で示す。）。ここで、このように、第１貫通孔４ａと第２貫通孔４ｂとが、周壁２ｅ（壁部３）の先端側（端側）に開放する場合には、貫通孔囲みリブ９は、壁部３に設けられることから、当然に、貫通孔４の全周を囲むものではない。
【００２３】
具体的には、配電函２は、略直方体形状をしており、底壁２ｄが鉛直面を形成する向きで配備される。そして、函本体２ｂにおいては、周壁２ｅは、方形枠状（詳しくは長方形枠状）となっており、その方形枠を構成するように、上部周壁２ｈと下部周壁２ｉと側部周壁２ｊ、２ｊとからなっている。そして、この周壁２ｅには、上部周壁２ｈの上方を覆うとともに前方に庇状に張り出した、屋根２ｋが一体となって設けられている。そして、周壁２ｅにおける下部周壁２ｉに前記貫通孔形成用壁構造１が設けられている。
【００２４】
この貫通孔形成用壁構造１において、第１貫通孔４ａを塞ぐ他のノック５ａと、第２貫通孔４ｂを塞ぐノック５ｂとは、底壁２ｄ側に、周壁２ｅ（詳しくは、下部周壁２ｉ）を残すように形成される。そして、他のノック５ａは、間隔を隔てて複数（図示実施の形態においては、三枚）設けられ、それら他のノック５ａ、５ａの間を塞ぐようにノック５ｂが設けられる。詳細には、ノック５ｂ（第２貫通孔４ｂ）と他のノック５ａ（第１貫通孔４ａ）は、いずれも略方形形状をし、ノック５ｂ（第２貫通孔４ｂ）は、他のノック５ａ（第１貫通孔４ａ）よりも、奥行方向、つまり周壁２ｅの先端から基端に向かう方向において（詳しくは、奥行方向および幅方向において）小さく形成されている。そして、ノック５ｂと他のノック５ａには、その先端に、それぞれ先端リブ１０ｂ、１０ａが設けられている。また、他のノック５ａの除去を容易とするため、他のノック５ａと、貫通孔囲みリブ９および第１リブ７との間には、薄肉部またはスリットあるいは切れ目などを有する、破断容易な他の脆弱部１１が介在している。
【００２５】
また、周壁２ｅには、その先端に、先端リブ２ｍが設けられ、さらに、その先端リブ２ｍと並ぶようにして後方に控えた位置に控えリブ２ｎが設けられている。そして、これら先端リブ２ｍおよび控えリブ２ｎは、前記貫通孔囲みリブ９に繋がるように形成されている。ここにおいて、この周壁２ｅにおける先端リブ２ｍと、ノック５ｂおよび他のノック５ａにおける先端リブ１０ｂ、１０ａとは、蓋２ｃの後述する膨出部２ｒの内側の段部の座となる。
【００２６】
また、周壁２ｅ（詳しくは、下部周壁２ｉ）には、ノック５ｂおよび他のノック５ａ以外に、円形形状のノック２ｐ、２ｐが設けられ、底壁２ｄにも、ノック２ｑ、２ｑが設けられる。
【００２７】
蓋２ｃにおいては、前記延設壁２ｇは、函本体２ｂにおける周壁２ｅと重なる部分が、外側に膨出した膨出部２ｒとなっており、その膨出部２ｒの内側における段部まで、周壁２ｅの先端が進入することとなる。
【００２８】
そして、函本体２ｂと蓋２ｃとは、側部周壁２ｊと、蓋２ｃにおける方形枠状の延設壁２ｇの側部を構成する側部延設壁２ｔとにおいて、ヒンジ２ｕで繋がっており、これにより、蓋２ｃは、函本体２ｂに一側で回動可能に連結される（図１参照）。
【００２９】
次に、以上の構成からなる貫通孔形成用壁構造１を含めた配電函２の作用効果について説明する。この配電函２における貫通孔形成用壁構造１によると、互いに通ずるように隣接する第１貫通孔４ａと第２貫通孔４ｂにおいて、第２貫通孔４ｂが、除去可能なノック５ｂで塞がれている（図３、図５参照）。そして、図示実施の形態においては、第１貫通孔４ａもまた、除去可能な他のノック５ａで塞がれている（図３、図４参照）。そこで、配線・配管材を挿通するにあたっては、始めに、他のノック５ａを除去することで、第１貫通孔４ａを形成する（図６参照）。この図６においては、ノック５ｂを挟む両側の他のノック５ａ、５ａが除去されて、第１貫通孔４ａ、４ａが形成されている。
【００３０】
そして、この貫通孔形成用壁構造１においては、ノック５ｂから、隣接する壁部３に渡って、第１リブ７が設けられており、この第１リブ７によりノック５ｂの強度を高めることができる。したがって、第１貫通孔４ａに配線・配管材を挿通した際に、その配線・配管材がノック５ｂに当たっても、ノック５ｂは、安易に外れたり取れたりすることはない。特に、図示実施の形態においては、ノック５ｂが、第１リブ７に沿って薄肉部またはスリットあるいは切れ目などの脆弱部が介在することなく、そのまま第１リブ７に繋がることで、ノック５ｂの強度をより高めることができる。その上、壁部３に、第１リブ７に繋がる第２リブ８を設けることで、ノック５ｂの強度を一層高めることができる。
【００３１】
そして、前もってあいた第１貫通孔４ａに対し、このノック５ｂ（詳しくは、このノック５ｂと、このノック５ｂから立設する第１リブ７）を除去することで、互いに通ずる第１貫通孔４ａと第２貫通孔４ｂとからなる大きな貫通孔４を形成することができる（図７参照）。図示実施の形態においては、第２貫通孔４ｂ（つまり、ノック５ｂ）を両側から挟むように、第１貫通孔４ａ、４ａ（つまり、他のノック５ａ、５ａ）が設けられている。このため、ノック５ｂを両側から挟む他のノック５ａ、５ａを除去して第１貫通孔４ａ、４ａを形成した後に、第２貫通孔４ｂを塞ぐノック５ｂ（詳しくは、ノック５ｂと、このノック５ｂから立設する第１リブ７、７）を除去することで、両側の第１貫通孔４ａ、４ａを連通させることができ、一層大きな貫通孔４を形成することができる。
【００３２】
この際、ノック５ｂと壁部３との間に脆弱部６が介在することから、第１リブ７におけるノック５ｂ側と壁部３側との境界部分Ｘ（図６に破線で示す。後述する図８〜図１３においても同様）にニッパー等の切断工具により切れ目を入れることで、簡単にノック５ｂを除去することができる。また、この貫通孔形成用壁構造１により、配線・配管材の配線・配管量に応じて、第１貫通孔４ａの使用に加えて、第２貫通孔４ｂの使用の有無（つまり、ノック５ｂを除去するかどうか）を選択することができ、その配線・配管量に柔軟に対応することができる。
【００３３】
また、壁部３に、貫通孔囲みリブ９を設けることで、壁部３の強度を保つことができ、また、配線・配管材を、第１貫通孔４ａや第２管通孔４ｂに挿通した際に、壁部３に対する配線・配管材の当たりを、第２リブ８を含めた貫通孔囲みリブ９（図７においては、貫通孔囲みリブ９に加えて第１リブ７）で和らげることができる。特に、第１貫通孔４ａのみが形成されている場合には、この貫通孔囲みリブ９や第１リブ７により、壁部３やノック５ｂに対する配線・配管材の当たりを和らげることができる（図６参照）。
【００３４】
また、配電函２においては、第１貫通孔４ａと第２貫通孔４ｂとは、周壁２ｅの先端側に開放し、蓋２ｃを閉じた状態において、その蓋２ｃよりも周壁２ｅの基端側に、配線材が引き出し可能となる貫通部４ｃを有している（図７において、蓋２ｃ（詳しくは、延設壁２ｇ）の先端を二点鎖線で示す。）。このため、互いに通ずる第１貫通孔４ａと第２貫通孔４ｂとで、周壁２ｅの先端側への開方の幅が広がり、蓋２ｃを閉じる際には、それほど注意することなく、配線材を第１貫通孔４ａまたは第２貫通孔４ｂに対応させた状態で、蓋２ｃを閉じることができる。
【００３５】
ところで、本発明は、上述した実施の形態に限定されるわけではなく、その他種々の変更が可能である。例えば、ノック５ｂ（第２貫通孔４ｂ）は、他のノック５ａ（第１貫通孔４ａ）よりも、奥行方向において小さく形成されなくとも、図８に示すように、同じ奥行寸法を有してもよい。なお、この図８においては、第１貫通孔４ａは、他のノック５ａで塞がれることなく、あいている。
【００３６】
また、第１貫通孔４ａ（他のノック５ａ）は、第２貫通孔４ｂ（ノック５ｂ）の両側に設けられなくとも、図９に示すように、第１貫通孔４ａ（他のノック５ａ）と第２貫通孔４ｂ（ノック５ｂ）とが、対となって設けられてもよい。この図９において、（Ａ）は、ノック５ｂおよび他のノック５ａを除去する前の状態を示し、（Ｂ）は、他のノック５ａを除去した状態を示し、（Ｃ）は、さらにノック５ｂ（詳しくは、ノック５ｂと、このノック５ｂから立設する第１リブ７）を除去した状態を示す。なお、（Ｂ）において、ノック５ｂを除去する際には、第１リブ７におけるノック５ｂ側と壁部３側との境界部分Ｘに、ニッパー等の切断工具で切れ目を入れる他に、先端リブ１０ｂと、第２リブ８あるいは先端リブ２ｍとの境界部分Ｙ（つまり、ノック５ｂと壁部３との境界部分）にも切れ目を入れる。ここで、先端リブ１０ｂは、ノック５ｂを補強する補強リブとしても機能するが、その必要がなければ、設けなくともよく、また、予め境界部分Ｙに切れ目が入れられていてもよい。また、補強リブとしては、先端リブ１０ｂの他に、例えば、ノック５ｂの中間位置に、第１リブ７と第２リブ８を繋ぐリブを設ける等、ノック５ｂから壁部３に渡るリブを設けてもよく、この場合にも、ノック５ｂを除去する際には、補強リブと第２リブ８との境界部分（つまり、第２リブ８が設けられない場合を含めて、ノック５ｂと壁部３との境界部分）に切れ目を入れる。
【００３７】
また、第１貫通孔４ａと第２貫通孔４ｂとは、周壁  ２ｅ（壁部３）の先端側（端側）に開方するように設けられなくとも、図１０〜図１３に示すように、第１貫通孔４ａと第２貫通孔４ｂとで構成される貫通孔４の全周が壁部３で囲まれていてもよい。
【００３８】
ここで、図１０においては、第１貫通孔４ａは、第２貫通孔４ｂ（ノック５ｂ）を両側から挟むように設けられている。なお、この図１０においては、第１貫通孔４ａは、他のノック５ａで塞がれることなく、あいている。
【００３９】
そして、図１１〜図１３においては、第１貫通孔４ａと第２貫通孔４ｂ（ノック５ｂ）とが対となるように設けられている。なお、図１１においては、第１貫通孔４ａは、他のノック５ａで塞がれている。そして、この図１１において、（Ａ）は、ノック５ｂおよび他のノック５ａを除去する前の状態を示し、（Ｂ）は、他のノック５ａを除去した状態を示し、（Ｃ）は、さらにノック５ｂ（詳しくは、ノック５ｂと、このノック５ｂから立設する第１リブ７）を除去した状態を示し、（Ｄ）は、除去したノック５ｂ（詳しくは、ノック５ｂと、このノック５ｂから立設する第１リブ７）を示す。また、図１２および図１３においては、第１貫通孔４ａは、他のノック５ａで塞がれることなく、あいている。
【００４０】
また、貫通孔形成用壁構造１において、第１リブ７の他に、第２リブ８とか貫通孔囲みリブ９が設けられているが、これら第２リブ８とか貫通孔囲みリブ９は、なくともよい。
【００４１】
また、貫通孔形成用壁構造１は、下部周壁２ｉに設けられなくとも、側部周壁２ｊとか底壁２ｄなどの他の壁に設けられてもよい。
【００４２】
また、函本体２ｂと蓋２ｃとを連結するヒンジ２ｕは、周壁２ｅおよび延設壁２ｇにおける側部に設けられなくとも、下部とか上部に設けられてもよい。
【００４３】
また、函本体２ｂには、屋根２ｋが一体となって設けられなくとも、別体の屋根が組み付けられてもよく、また、屋根が設けられなくともよい。
【００４４】
この貫通孔形成用壁構造１は、配電函２に適用されなくとも、配線ボックスに適用されてもよく、広く一般の構造物の壁部に適用されてもよい。
【符号の説明】
【００４５】
１  貫通孔形成用壁構造
２  配電函
２ａ  開口
２ｂ  函本体
２ｃ  蓋
２ｄ  底壁
２ｅ  周壁
３  壁部
４  貫通孔
４ａ  第１貫通孔
４ｂ  第２貫通孔
５ａ  他のノック
５ｂ  ノック
６  脆弱部
７  第１リブ
８  第２リブ
９  貫通孔囲みリブ
【図１】
0005714431.tif 000002
【図２】
0005714431.tif 000003
【図３】
0005714431.tif 000004
【図４】
0005714431.tif 000005
【図５】
0005714431.tif 000006
【図６】
0005714431.tif 000007
【図７】
0005714431.tif 000008
【図８】
0005714431.tif 000009
【図９】
0005714431.tif 000010
【図１０】
0005714431.tif 000011
【図１１】
0005714431.tif 000012
【図１２】
0005714431.tif 000013
【図１３】
0005714431.tif 000014
【図１４】
0005714431.tif 000015